(57)【要約】      （修正有）【課題】ベゼルを用いずに外装ケースに直接カバーガラスを設ける場合でも、内部の部品が外側から見えないダイヤルリングを備えた時計を提供する。【解決手段】文字板１１の外周にダイヤルリング８１を配置し、文字板１１の表面側にカバーガラス８４を配置する。文字板１１は地板３８により支持し、地板３８は外装ケース８０に収納する。カバーガラス８４は、外装ケース８０に支持される第１部分と文字板１１の上方に位置する第２部分との間に第３部分を有しており、ダイヤルリング８１は、カバーガラス８４の第１部分及び第３部分に対向する第１表面８１ａと、カバーガラス８４の第２部分に対向する第２表面８１ｂとを有し、ダイヤルリング８１の第１表面８１ａと第２表面８１ｂに囲まれる内部には、環状の部品配置領域Ｋ３が形成される。【選択図】図８
2015143665.tif 000002
【特許請求の範囲】
【請求項１】
文字板と、
前記文字板の外周に配置された環状部材と、
前記文字板の表面側に配置されるカバー部材と、
前記文字板を支持する地板と、
前記地板を収納するケース部材と、を有し、
前記カバー部材は、前記ケース部材に支持され、当該支持される第１部分と前記文字板と平面視で重なる第２部分との間に第３部分を有しており、
前記環状部材は、前記第１部分及び前記第３部分に対向する第１表面と、前記第２部分に対向する第２表面とを有し、前記環状部材の前記第１表面と前記第２表面に囲まれる内部には、部品配置領域が形成されている、
ことを特徴とする時計。
【請求項２】
前記第１表面には情報が表示されている
ことを特徴とする請求項１に記載の時計。
【請求項３】
前記情報は都市名である
ことを特徴とする請求項２に記載の時計。
【請求項４】
文字板と、
前記文字板の外周に配置された環状部材と、
前記文字板の表面側に配置されるカバー部材と、
前記文字板を支持する地板と、
前記地板を収納するケース部材と、を有し、
前記環状部材は、前記ケース部材に取り付けられた第１の環状部材と、当該第１の環状部材に接し、かつ、前記文字板に接する第２の環状部材とを有する、
ことを特徴とする時計。
【請求項５】
前記第１の環状部材と前記第２の環状部材とが接する箇所においては、前記第１の環状部材と前記第２の環状部材のいずれかがカバー部材側に配置される、
ことを特徴とする請求項４に記載の時計。
【請求項６】
前記第１の環状部材は、前記ケース部材に両面テープで取り付けられている
ことを特徴とする請求項４または請求項５に記載の時計。
【請求項７】
前記第１の環状部材と前記第２の環状部材に囲まれる内部には、部品配置領域が形成されている、
ことを特徴とする請求項４乃至請求項６のいずれか１項に記載の時計。
【請求項８】
前記部品配置領域には、アンテナが配置されている
ことを特徴とする請求項１乃至請求項７のいずれか１項に記載の時計。
【発明の詳細な説明】
【技術分野】
【０００１】
本発明は、時計に関する。
【背景技術】
【０００２】
従来の時計においては、外装ケースの上にベゼルを配置し、ベゼルによりカバーガラスを保持する構成することが一般的になっている。一方、デザイン上の要請から、あるいは、視認性を向上させること等を目的として、ベゼルを用いずに、外装ケースに直接カバーガラスを設けた時計も提案されている（例えば、特許文献１）。
【先行技術文献】
【特許文献】
【０００３】
【特許文献１】特開２０１１−２１９２９号公報
【発明の概要】
【発明が解決しようとする課題】
【０００４】
しかしながら、特許文献１においては、ＧＰＳアンテナをダイヤルリングで覆ってはいるものの、カバーガラスの側面側、つまり、カバーガラスと外装ケースとの接触部側に対応する箇所は覆われていないため、ＧＰＳアンテナまたは地板等の内部の部品が外側から見えてしまう恐れがあった。
【０００５】
また、従来は、ダイヤルリングを地板上に位置決めした後に、外装ケースの下方から地板を外装ケースに取り付けるように組み立てることが一般的であった。しかし、カバーガラスの側面側からもＧＰＳアンテナ等の内部の部品が見えないようにダイヤルリングを構成すると、ダイヤルリングの最外周の位置が外装ケースの内周の位置よりも外側になってしまい、組み立てが困難であった。
【０００６】
本発明は上述した事情に鑑みてなされたものであり、ケース部材に直接カバー部材を設ける場合でも、内部の部品が外側から見えず、また、組み立てが容易な時計を提供することを解決課題とする。
【課題を解決するための手段】
【０００７】
以上の課題のうち少なくとも一つを解決するため、本発明に係る時計は、文字板と、前記文字板の外周に配置された環状部材と、前記文字板の表面側に配置されるカバー部材と、前記文字板を支持する地板と、前記地板を収納するケース部材と、を有し、前記カバー部材は、前記ケース部材に支持され、当該支持される第１部分と前記文字板に平面視で重なる第２部分との間に第３部分を有しており、前記環状部材は、前記第１部分及び前記第３部分に対向する第１表面と、前記第２部分に対向する第２表面とを有し、前記環状部材の前記第１表面と前記第２表面に囲まれる内部には、部品配置領域が形成されていることを特徴とする。
【０００８】
本発明によれば、カバー部材は、外装ケースに支持され、当該支持される第１部分と文字板に平面視で重なる第２部分との間に、例えば湾曲した形状を含む第３部分を有している。したがって、カバー部材の外側からは、文字板の上方に位置する第２部分側からだけでなく、第３部分側からも時計の内部が視認可能になる。しかしながら、環状部材は、カバー部材の第２部分に対向する第２表面だけでなく、カバー部材の第１部分及び第３部分に対向する第１表面を有している。その結果、カバー部材の第３部分側の外側から、時計の内部が視認可能になっていても、環状部材の第１表面により、時計の内部が見えることはない。特に、第１表面は、カバー部材の第３部分だけでなく、外装ケースに支持されるカバー部材の第１部分にも対向しているので、カバー部材の第１部分の近傍から急な角度で見た場合でも、時計の内部が見えることを確実に防止できる。さらに、環状部材の第１表面と第２表面に囲まれる内部には、部品配置領域が形成されているので、当該部品配置領域に、例えばアンテナ等の部品を配置することにより、空間を効率的に使用して時計の小型化を図ることができる。なお、本発明において、「環状」とは、全体がつながって切れ目がなく輪になっていることをいい、円環状だけではなく、切れ目がない四角形やその他の多角形の形状を含む。以下、本明細書において同様である。
【０００９】
上述した本発明の時計において、前記第１表面には情報が表示されていることが好ましい。この場合には、文字板に平面視で重なる第２部分に対向する環状部材の第２表面だけでなく、カバー部材の第１部分と第３部分に対向する第１表面にも情報が表示されているので、多くの情報を表示することができる。
【００１０】
上述した本発明の時計において、前記情報は都市名であることが好ましい。環状部材の第１表面に表示する情報として都市名を採用した場合には、例えば、時間を示すための数字等の情報を、第１表面より内側にある第２表面に表示することが可能となり、時間の視認性が向上する。
【００１１】
さらに、以上の課題のうち少なくとも一つを解決するため、本発明に係る時計は、文字板と、前記文字板の外周に配置された環状部材と、前記文字板の表面側に配置されるカバー部材と、前記文字板を支持する地板と、前記地板を収納するケース部材と、を有し、前記環状部材は、前記ケース部材に取り付けられた第１の環状部材と、当該第１の環状部材に接し、かつ、前記文字板に接する第２の環状部材とを有することを特徴とする。
【００１２】
本発明によれば、環状部材は、ケース部材に取り付けられた第１の環状部材と、第１の環状部材に接し、かつ、文字板に接する第２の環状部材とを有する。したがって、時計を外側から見た場合、ケース部材から文字板までの部分は、第１の環状部材と第２の環状部材とに覆われ、時計の内部が見えることがない。また、環状部材は、第１の環状部材と第２の環状部材との２つの部材に分れているため、例えば、第１の環状部材の最外周位置が、ケース部材の最内周位置よりも外側に位置するような場合でも、第１の環状部材は外装ケースの上側から、第２の環状部材はケース部材の下側から組み込むことができるので、組み立てが容易となる。
【００１３】
上述した本発明の時計において、第１の環状部材と第２の環状部材とが接する箇所においては、第１の環状部材と第２の環状部材のいずれかがカバー部材側に配置されることが好ましい。この場合には、第１の環状部材と第２の環状部材とが接する箇所をカバー部材の外側から見ると、第１の環状部材と第２の環状部材のいずれかがカバー部材側に配置されるので、当該接する箇所における隙間から時計の内部が見えることがない。
【００１４】
上述した本発明の時計において、第１の環状部材は、ケース部材に両面テープで取り付けられていることが好ましい。この場合には、第１の環状部材を、ケース部材に容易かつ確実に取り付けることができる。
【００１５】
上述した本発明の時計において、第１の環状部材と第２の環状部材に囲まれる内部には、部品配置領域が形成されていることが好ましい。この場合には、限られた空間を効率的に使用して時計を小型化することが可能になる。また、部品配置領域に配置した部品は、第１の環状部材と第２の環状部材に囲まれるので、外側から見えることがない。
【００１６】
上述した本発明の時計において、前記部品配置領域には、アンテナが配置されていることが好ましい。この場合には、この場合には、限られた空間を効率的に使用して時計を小型化することが可能になる。また、カバー部材に近い位置にある部品配置領域にアンテナを配置するので、アンテナの受信感度を向上させることができる。
【図面の簡単な説明】
【００１７】
【図１】本発明の第１実施形態に係るアンテナ内蔵式電子時計１００（電子時計１００）を含むＧＰＳシステムの全体図である。
【図２】電子時計１００の平面図である。
【図３】電子時計１００の一部断面図である。
【図４】電子時計１００の第１ダイヤルリング及び第２ダイヤルリングの周辺を示す一部断面図である。
【図５】電子時計１００の回路構成を示すブロック図である。
【図６】電子時計１００の一部の分解斜視図である。
【図７】第１ダイヤルリングの平面図である。
【図８】本発明の第２実施形態に係る電子時計１００の一部断面図である。
【図９】ダイヤルリング８３を示す斜視図である。
【図１０】ダイヤルリングの平面図である。
【発明を実施するための形態】
【００１８】
以下、添付の図面を参照しながら本発明に係る好適な実施の形態を説明する。図面において、各部の寸法及び縮尺は、実際のものと適宜に異なる。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
＜第１実施形態＞
Ａ：アンテナ内蔵式電子時計の機構的な構成
図１は、本発明の第１実施形態に係るアンテナ内蔵式電子時計１００（以下「電子時計１００」という）を含むＧＰＳシステムの全体を示す概略図である。電子時計１００は、複数のＧＰＳ衛星２０の少なくとも１つから電波（無線信号）を受信して内部時刻を修正する腕時計であり、腕に接触する面（以下、「裏面」という）の反対側の面（以下「表面」という）に時刻を表示する。以下、裏面側を「下側」、表面側を「上側」という。
【００２０】
ＧＰＳ衛星２０は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
【００２１】
以下では、ＧＰＳシステムを衛星測位システムの例として説明するが、ＧＰＳシステムは衛星測位システムの一例である。本発明は、ガリレオ（EU）、GLONASS（ロシア）、北斗（中国）等の全地球的航法衛星システム（GNSS）、SBAS等の静止衛星、または、準天頂衛星等、時刻情報を含む衛星信号を発信する位置情報衛星を備える、その他の衛星測位システムを使用することができる。すなわち、電子時計１００は、ＧＰＳ衛星２０以外の衛星を含む位置情報衛星からの電波（無線信号）を受信して内部時刻を修正する腕時計であってもよい。
【００２２】
現在、約３１個のＧＰＳ衛星２０（図１においては、約３１個のうち４個のみを図示）が存在している。各ＧＰＳ衛星２０は、衛星信号がどのＧＰＳ衛星２０から送信されたかを識別するために、Ｃ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、実際に受信される衛星信号と、既知の各Ｃ／Ａコードのパターンの相関をとることにより、衛星信号に重畳されているＣ／Ａコードを検出することができる。
【００２３】
ＧＰＳ衛星２０は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２０に搭載されている原子時計のわずかな時刻誤差が測定されており、衛星信号にはその時刻誤差を補正するための時刻補正パラメータも含まれている。電子時計１００は、１つのＧＰＳ衛星２０から送信された衛星信号を受信し、その中に含まれるＧＰＳ時刻情報と時刻補正パラメータを使用して内部時刻を正確な時刻に修正する。
【００２４】
衛星信号にはＧＰＳ衛星２０の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するための３つのパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２５】
図２は、電子時計１００の平面図である。図２に示すように、電子時計１００は、ケース部材としての外装ケース８０を備えている。外装ケース８０は、金属またはその他の導電性材料で形成された円筒状のケースである。
【００２６】
外装ケース８０の上には、プラスチックまたはその他の非導電性材料で形成された環状の第１ダイヤルリング８２（第１の環状部材）が配置されている。第１ダイヤルリング８２には文字等の情報が示されている。第１ダイヤルリング８２の内側には、第２ダイヤルリング８３（第２の環状部材）が配置され、第２ダイヤルリング８３の内側には、円盤状の文字板１１が配置されている。つまり、第２ダイヤルリング８３は文字板１１の外周に配置されている。つまり、第１ダイヤルリング８２も文字板１１の外周に配置されている。円盤状の文字板１１の外周は第２ダイヤルリング８３の内周より大きく、文字板１１の外周は第２ダイヤルリング８３によって視認されないようになっている。第２ダイヤルリング８３には、例えば時刻（時）を示すバータイプのインデックス８６が３０度おきに設けられ、文字板１１には、そのようなインデックスは設けられていない。第１ダイヤルリング８２及び第２ダイヤルリング８３に示される情報並びに文字板１１に示される情報は互いに異なっていればよく、図示の情報には限定されない。
【００２７】
文字板１１上には、指針軸１２を中心に周回して現在時刻を指し示す指針１３（１３ａ〜１３ｃ）が配置されている。以下では、文字板１１を時刻表示部分と呼ぶ場合がある。
【００２８】
詳細は後述するが、外装ケース８０は、表面側及び裏面側の２つの開口を有している。そして、外装ケース８０の表面側の開口は、カバーガラス８４で塞がれており、カバーガラス８４を介して、第１ダイヤルリング８２、第２ダイヤルリング８３、文字板１１及び指針１３（１３ａ〜１３ｃ）が視認可能となっている。
【００２９】
また、電子時計１００は、図１及び図２に示すように竜頭１６と、操作ボタン１７及び１８とを備えている。これらの竜頭１６、操作ボタン１７及び１８を手動操作することにより、電子時計１００を、少なくとも１つのＧＰＳ衛星２０からの衛星信号を受信して内部時刻情報の修正を行うモード（時刻情報取得モード）と、複数のＧＰＳ衛星２０からの衛星信号を受信して測位計算を行い内部時刻情報の時差を修正するモード（位置情報取得モード）とに設定できる。また、電子時計１００は、時刻情報取得モードや位置情報取得モードを定期的に（自動的に）実行することもできる。
【００３０】
図３は電子時計１００の内部構造を示す一部断面図であり、図４は電子時計１００の第１ダイヤルリング及び第２ダイヤルリングの周辺を示す一部断面図である。図３に示すように、外装ケース８０は、金属またはその他の導電性材料で形成された円筒状のケースであり、表面側の開口Ｋ１及び裏面側の開口Ｋ２を有する。外装ケース８０の表面側の開口Ｋ１は、ドーム状のカバーガラス８４で塞がれており、裏面側の開口Ｋ２は、ＳＵＳ（ステンレス鋼）またはＴｉ（チタン）等の金属で形成された裏蓋８５で塞がれている。裏蓋８５と外装ケース（ケース部材）８０とは、例えばスクリュー溝で固定されている。
【００３１】
カバーガラス８４の下側（裏面側）には、プラスチックなどの非導電性材料で形成されたリング状（円環状）の第１ダイヤルリング８２及び第２ダイヤルリング８３が設けられている。図４に示すように、第１ダイヤルリング８２の半径方向における最外周位置Ｐ１は、外装ケース８０の半径方向における最内周位置Ｐ２よりも、前記半径方向における外側に位置している。第１ダイヤルリング８２よりも前記半径方向における内側（文字板の中心側）には、第２ダイヤルリング８３が設けられており、第２ダイヤルリング８３の外側フランジ部８３ａを第１ダイヤルリング８２の内側フランジ部８２ａが覆うようにして、第１ダイヤルリング８２と第２ダイヤルリング８３が組み合わされている。
【００３２】
第１ダイヤルリング８２と第２ダイヤルリング８３の下側には、外装ケース８０の前記最内周位置Ｐ２よりも内側に、プラスチックなどの非導電性材料で形成された地板３８が設けられている。第１ダイヤルリング８２、第２ダイヤルリング８３、及び地板３８と、外装ケース８０の内周とによって、ドーナツ状の収納空間（環状の部品配置領域）Ｋ３が区画されている。この収納空間Ｋ３には、環状のアンテナ体４０が収納されている。したがって、アンテナ体４０は、第１ダイヤルリング８２の内周よりも内側に収容され、その上方を第１ダイヤルリング８２と第２ダイヤルリング８３とで覆われている。アンテナ体４０の表面には、図示しないアンテナ電極パターン（エレメント）がメッキなどで形成されている。アンテナ電極パターンはＣ形ループ状のループ状素子と、ループ状素子の径とほぼ同様の径とされており、ループ状素子とほぼ同心の関係を保ちながらループ状素子に対向して配置された円弧状の励振素子とを備えている。ループ状素子と励振素子は所定の間隔を持って平行に配置されており、両者は電磁的に結合される。励振素子の一端は下方へ折曲され、図示しない接触パターンと接触するように構成されている。接触パターンは、基板２５、シールド９１、及び導通ばね２４を介して、裏蓋８５と電気的に接続されており、裏蓋８５が外装ケース８０に固定されているので、外装ケース８０にも電気的に接続されている。これによりアンテナ体４０のアンテナ電極パターンには、所定の電位が供給されている。
【００３３】
図３に示すように、アンテナ体４０の内周よりも内側には、光透過性の文字板１１、文字板１１及び地板３８を貫通する指針軸１２、ならびに指針軸１２を中心に周回して現在時刻を指し示す複数の指針１３（秒針１３ａ、分針１３ｂ、及び時針１３ｃ）が設けられている。
【００３４】
指針軸１２は、外装ケース８０の中心軸線に沿って表裏方向に延在している。文字板１１は、円形の板材であり、プラスチックなどの光透過性の非導電性材料で形成されている。図３に示すように、文字板１１は、カバーガラス８４及び地板３８の間に配置されている。文字板１１の中央部には、指針軸１２が貫通する穴が形成されている。指針１３は、アンテナ体４０の内周よりも内側で、且つ、カバーガラス８４及び文字板１１の間に配置されている。
【００３５】
地板３８の下側（裏面側）には、指針軸１２を回転させて複数の指針１３を駆動する駆動機構（駆動部）３０が取り付けられている。駆動機構３０は、ステップモーターＭと歯車等の輪列とを有し、当該ステップモーターＭが当該輪列を介して指針軸１２を回転させることにより、複数の指針１３を駆動する。具体的には、駆動機構３０は、時針１３ｃが指針軸１２の周りを１２時間で１周し、分針１３ｂが６０分で一周し、秒針１３ａが６０秒で一周するように、指針軸１２を回転させる。
【００３６】
また電子時計１００は、外装ケース８０の内側に、基板２５を備える。基板２５は、樹脂またはその他の誘電体を含む素材で形成され、駆動機構３０の下側（つまり、駆動機構３０及び裏蓋８５の間）に配置されている。
基板２５の下面（裏側の面）には、ＧＰＳ受信部（無線受信部）２６及び制御部７０を含む回路ブロックが実装されている。ＧＰＳ受信部２６は、例えば、１チップのＩＣモジュールで構成され、そこにはアナログ回路とデジタル回路とが含まれている。制御部７０は、制御信号をＧＰＳ受信部２６に送り、ＧＰＳ受信部２６の受信動作を制御するとともに、駆動機構３０の動作を制御する。
【００３７】
ＧＰＳ受信部２６及び制御部７０を含む回路ブロックは、導電性材料により形成されたシールド９１により覆われている。シールド９１は、回路押え３９、裏蓋８５、及び外装ケース８０を介して、図示しないグランド板と電気的に接続されている。また、シールド９１には、回路ブロックのグランド電位が供給されている。すなわち、シールド９１、裏蓋８５、外装ケース８０、及びグランド板の電位は、回路ブロックのグランド電位に保たれており、グランドプレーンとして機能している。
【００３８】
駆動機構３０と地板３８との間には、耐磁板Ｓ１及びＳ２が設けられ、駆動機構３０と基板２５との間には、耐磁板Ｓ３が設けられている。以下では、耐磁板Ｓ１及びＳ２を第１耐磁板と総称し、耐磁板Ｓ３を第２耐磁板と総称する場合がある。これら耐磁板Ｓ１〜Ｓ３は、純鉄等の高い透磁率を有する導電性材料から形成される。
【００３９】
電子時計１００の外部に、スピーカー等の強い磁界を発生させる物体が存在する場合、当該磁界の影響により、ステップモーターＭが誤作動する可能性がある。また、電子時計１００を構成する各種構成要素のうち、外装ケース８０、裏蓋８５等の金属は、磁化された場合に磁界を発生させる。さらには、基板２５に設けられた回路ブロックも、磁界を発生させることがある。
本実施形態では、高い透磁率を有する材料から形成される耐磁板Ｓ１〜Ｓ３により、ステップモーターＭを覆うことにより、駆動機構３０を磁気的にシールドし、上述した各種磁界に起因してステップモーターＭが誤作動することを防止している。
【００４０】
また電子時計１００は、外装ケース８０の内側に、リチウムイオン電池などの円柱形状の二次電池２７、当該二次電池２７を収納するための電池収納部２８、及び光発電を行うソーラーパネル８７を備える。
【００４１】
ソーラーパネル８７は、光エネルギーを電気エネルギー（電力）に変換する複数のソーラーセル（光発電素子）を直列接続した円形の平板である。ソーラーパネル８７は、アンテナ体４０の内周よりも内側で、地板３８と文字板１１との間に配置されている。ソーラーパネル８７の中央部には、指針軸１２が貫通する穴が形成されている。
【００４２】
二次電池２７は、ソーラーパネル８７が発電した電力で充電される。この二次電池２７を収納するための電池収納部２８は、基板２５の下側（つまり、基板２５及び裏蓋８５の間）に配置されている。
【００４３】
外装ケース８０の外側には、竜頭１６と、操作ボタン１７及び１８とが設けられる（図２参照）。電子時計１００の利用者が、竜頭１６を操作することで生じる竜頭１６の動きは、外装ケース８０を貫通する巻真１６ａを介して、駆動機構３０に伝達される。また、電子時計１００の利用者が、操作ボタン１７（または１８）を押下することで生じる操作ボタン１７（または１８）の動きは、外装ケース８０を貫通する図示しないボタン軸を介して、図示しないスイッチに伝達される。そして、当該スイッチは、操作ボタン１７（または１８）からの圧力を電気的な信号に変換して、制御部７０に伝達する。
以下では、これら、竜頭１６、巻真１６ａ、操作ボタン１７及び１８、並びに、ボタン軸を、操作部と総称する場合がある。
【００４４】
Ｂ：アンテナ内蔵式電子時計の回路構成
図５は、電子時計１００の回路構成を示すブロック図である。図５に示すように、電子時計１００は、ＧＰＳ受信部２６及び制御表示部３６を含む。ＧＰＳ受信部２６は、衛星信号の受信、ＧＰＳ衛星２０の捕捉、位置情報の生成、時刻修正情報の生成等の処理を行う。制御表示部３６は、内部時刻情報の保持及び内部時刻情報の修正等の処理を行う。
【００４５】
ソーラーパネル８７は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータ３５−１と、ベースバンド部６０（詳細は後述）に駆動電力を供給するレギュレータ３５−２（ともに図示せず）とに分けて設けてもよい。レギュレータ３５−１は、ＲＦ部５０の内部に設けてもよい。
【００４６】
また電子時計１００は、アンテナ体４０、及びＳＡＷ（Surface Acoustic Wave：表面弾性波）フィルタ３２を含む。アンテナ体４０は、図１に関連して説明したように、複数のＧＰＳ衛星２０からの衛星信号を受信する。ただし、アンテナ体４０は衛星信号以外の不要な電波も若干受信してしまうため、ＳＡＷフィルタ３２は、アンテナ体４０が受信した信号から衛星信号を抽出する処理を行う。すなわち、ＳＡＷフィルタ３２は、１．５ＧＨｚ帯の信号を通過させるバンドパスフィルタとして構成される。
【００４７】
また、ＧＰＳ受信部２６は、ＲＦ（Radio Frequency：無線周波数）部５０とベースバンド部６０を含む。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００４８】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含む。
【００４９】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００５０】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００５１】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含む。また、ベースバンド部６０には、温度補償回路付き水晶発振回路（ＴＣＸＯ：Temperature Compensated Crystal Oscillator）６５やフラッシュメモリ６６等が接続されている。
【００５２】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００５３】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００５４】
また、ベースバンド部６０は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２０に同期（すなわち、ＧＰＳ衛星２０を捕捉）したものと判断する。ここで、ＧＰＳシステムでは、すべてのＧＰＳ衛星２０が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２０を検索することができる。
【００５５】
また、ベースバンド部６０は、時刻情報取得モード又は位置情報取得モードにおいて、捕捉したＧＰＳ衛星２０の衛星情報を取得するために、当該ＧＰＳ衛星２０のＣ／Ａコードと同一のパターンのローカルコードとベースバンド信号をミキシングする処理を行う。ミキシングされた信号には、捕捉したＧＰＳ衛星２０の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。そして、ベースバンド部６０は、衛星情報に基づいて、内部時刻情報を修正するために必要な時刻修正情報を生成する。
【００５６】
時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００５７】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
なお、ベースバンド部６０は、１つのＧＰＳ衛星２０の衛星情報から時刻修正情報を生成してもよいし、複数のＧＰＳ衛星２０の衛星情報から時刻修正情報を生成してもよい。
【００５８】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。
【００５９】
制御表示部３６は、制御部７０、駆動回路７４及び水晶振動子７３を含む。
制御部７０は、記憶部７１およびＲＴＣ（Real Time Clock）７２を備え、各種制御を行う。制御部７０は、例えばＣＰＵで構成することが可能である。制御部７０は、制御信号をＧＰＳ受信部２６に送り、ＧＰＳ受信部２６の受信動作を制御する。また制御部７０は、電圧検出回路３７の検出結果に基づいて、レギュレータ３４及びレギュレータ３５の動作を制御する。また制御部７０は、駆動回路７４を介してすべての指針１３の駆動を制御する。
【００６０】
記憶部７１には受信データが記憶されている。制御部７０はその受信データに基づいて内部時刻情報を修正する。内部時刻情報は、電子時計１００で計時される時刻の情報であり、常時駆動されているＲＴＣ７２でカウントされており、水晶振動子７３によって生成される基準クロック信号によって更新される。したがって、ＧＰＳ受信部２６への電力供給が停止されていても、内部時刻情報を更新して指針の運針を継続することができるようになっている。
【００６１】
制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００６２】
Ｃ：第１ダイヤルリング及び第２ダイヤルリングの詳細
図６は本実施形態の電子時計１００の一部の分解斜視図である。図４及び図６に示すように、第１ダイヤルリング８２には、内側フランジ部８２ａと外側フランジ部８２ｂが形成されている。また、第１ダイヤルリング８２には、位置決め凸部８２ｃが２箇所に形成されており、第１ダイヤルリング８２が取り付けられる外装ケース８０には、内側フランジ部８０ａが形成され、内側フランジ部８０ａには、前記位置決め凸部８２ｃに対応する位置に凹部８０ｂが形成されている。位置決め凸部８２ｃ、凹部８０ｂは各々１つずつ図示されている。
【００６３】
第１ダイヤルリング８２の外側フランジ部８２ｂの端部によって形成される第１ダイヤルリング８２の半径方向における最外周位置Ｐ１は、外装ケース８０の半径方向における最内周位置Ｐ２よりも、前記半径方向における外側に位置している。半径方向とは第１ダイヤルリング８２の中心から第１ダイヤルリング８２の外側フランジ部８２ｂに向かう（または、第１ダイヤルリング８２の外側フランジ部８２ｂから第１ダイヤルリング８２の中心に向かう）方向をいう。したがって、第１ダイヤルリング８２を外装ケース８０の裏面側の開口Ｋ２側から取り付けることはできないため、第１ダイヤルリング８２の位置決め凸部８２ｃを外装ケース８０の凹部８０ｂに嵌め合わせ、第１ダイヤルリング８２の外側フランジ部８２ｂと外装ケース８０の内側フランジ部８０ａとが接触するように、第１ダイヤルリング８２を外装ケース８０の表面側の開口Ｋ１側から取り付ける。第１ダイヤルリング８２の外側フランジ部８２ｂと外装ケース８０の内側フランジ部８０ａとの接触部には、図４に示すように、両面テープ８９を貼り付け、第１ダイヤルリング８２を容易かつ確実に外装ケース８０に取り付ける。
【００６４】
本実施形態のカバーガラス８４はドーム形状であり、外装ケース８０によって支持されるように構成されている。図４に一点鎖線で示すように、カバーガラス８４は、外装ケース８０によって支持される第１部分Ａ１と、文字板１１の上方（平面視で文字板に重なる位置）に位置する第２部分Ａ２と、第１部分Ａ１と第２部分Ａ２の間の湾曲部を含む第３部分Ａ３から構成されている。第１ダイヤルリング８２の表面８２ｄ（第１表面）の形状は、ドーム形状のカバーガラス８４の端部の内周面の形状に沿った形状となっており、湾曲部を含む第３部分Ａ３だけでなく、第１部分Ａ１にも対向している。このように構成することにより、第１ダイヤルリング８２の表面８２ｄを、カバーガラス８４の第３部分Ａ３の内周面に近づけることが可能となっている。
【００６５】
図６に示すように、第１ダイヤルリング８２の表面８２ｄには、文字情報８２ｅが描かれている。本実施形態の電子時計１００においては、カバーガラス８４を、第１部分Ａ１、第２部分Ａ２、及び湾曲部を含む第３部分Ａ３から構成することで、電子時計１００の側面からの視認性が向上するが、第１ダイヤルリング８２の表面８２ｄの形状を上述のように構成した結果、側面から電子時計１００の内部のアンテナ体４０等の部品が見えることを防止しつつ、情報の表示領域が拡大されている。本実施形態では、このような第１ダイヤルリング８２の表面８２ｄに文字情報８２ｅを表示したので、情報量を多くすることができる。なお、第１ダイヤルリング８２の表面８２ｄに表示する情報は、数字に限定されるものではなく、例えば、図７に示すように、第１ダイヤルリング８２の表面８２ｄに表示する情報として都市名の略字８２ｆを採用してもよい。図７は、第１ダイヤルリング８２の平面図である。また、文字でなくてもよく、例えば、装飾であってもよい。都市名等を第１ダイヤルリング８２の表面８２ｄに表示することにより、時間を第１ダイヤルリング８２の表面８２ｄより内側にある第２ダイヤルリングの表面８３ｂ（第２表面）に表示することが可能となり、時間の視認性が向上する。
【００６６】
一方、第２ダイヤルリング８３には、外側フランジ部８３ａが形成されている。図４に示すように、第２ダイヤルリング８３の外側フランジ部８３ａの端部によって形成される第２ダイヤルリング８３の最外周位置Ｐ３は、外装ケース８０の半径方向における最内周位置Ｐ２よりも、前記半径方向における内側に位置している。したがって、第２ダイヤルリング８３については、外装ケース８０の裏面側の開口Ｋ２側から取り付けることができる。図６に示すように、第２ダイヤルリング８３の底部には、実線で示す第１凹部８３ｃと、点線で示す第２凹部８３ｄが設けられている。また、地板３８の表面には、点線で示す第１凸部３８ａと、実線で示す第２凸部３８ｂが形成されている。電子時計１００を組み立てる際には、地板３８にアンテナ体４０を位置決めし、第２ダイヤルリング８３によってアンテナ体４０を覆うように第２ダイヤルリング８３を地板３８に位置決めする。第２ダイヤルリング８３の位置決めは、地板３８の第１凸部３８ａに第２ダイヤルリング８３の第１凹部８３ｃを嵌め合わせ、地板３８の第２凸部３８ｂに第２ダイヤルリング８３の第２凹部８３ｄを嵌め合わせることにより行う。そして、第２ダイヤルリング８３とアンテナ体４０とが位置決めされた地板３８を外装ケース８０の裏面側の開口Ｋ２側から嵌め込み、裏蓋８５を外装ケース８０に取り付ける。その後、第１ダイヤルリング８２の位置決め凸部８３ｃを外装ケース８０の凹部８０ｂに嵌め合わせ、第１ダイヤルリング８２の外側フランジ部８２ｂと外装ケース８０の内側フランジ部８０ａとが接触するように、第１ダイヤルリング８２を外装ケース８０の表面側の開口Ｋ１側から取り付ける。最後に、第１ダイヤルリング８２を覆うようにカバーガラス８４を地板３８に取り付ける。
第２ダイヤルリング８３の第１凹部８３ｃ及び第２凹部８３ｄと、地板３８の第１凸部３８ａ及び第２凸部３８ｂとをそれぞれ嵌め合わせることにより、第２ダイヤルリング８３を地板３８に対して確実に位置決めすることができる。また、地板３８も外装ケース８０に確実に位置決めされるため、第２ダイヤルリング８３は、外装ケース８０に対しても確実に位置決めされることになる。さらに、第１ダイヤルリング８２の位置決め凸部８３ｃと外装ケース８０の凹部８０ｂを嵌め合わせることにより、第１ダイヤルリング８２は外装ケース８０に対して確実に位置決めされる。したがって、本実施形態によれば、第１ダイヤルリング８２と第２ダイヤルリング８３を外装ケース８０に対して精度良く位置決めすることができる。また、文字板１１も地板３８に凹凸によって位置決めされているので、文字板１１と第２ダイヤルリング８３との位置決めを精度良く行うことができる。なお、第２ダイヤルリング８３に凸部を設けると共に、地板３８に凹部を設け、第２ダイヤルリング８３の凸部を地板３８の凹部に嵌め合わせるようにしてよい。
【００６７】
以上のように組み立てを行うことにより、図４に示すように、第２ダイヤルリング８３の外側フランジ部８３ａの上側に、第１ダイヤルリング８２の内側フランジ部８２ａが位置することになり、第２ダイヤルリング８３及び第１ダイヤルリング８２と、地板３８及び外装ケース８０とによって形成される空間Ｋ３内に、アンテナ体４０が収容されることになる。第１ダイヤルリング８２と第２ダイヤルリング８３とがこのような位置関係を有しているので、ドーム形状のカバーガラス８４を用いても、第１ダイヤルリング８２の内側フランジ部８２ａと、第１ダイヤルリング８２の内側フランジ部８２ａとの接触部における隙間から、電子時計１００の内部が見えることを防止することができる。特に、第１ダイヤルリング８２の表面８２ｄは、カバーガラス８４の湾曲部を含む第３部分Ａ３だけでなく、外装ケース８０に支持される第１部分Ａ１にも対向している。その結果、第１部分Ａ１の近くから急な角度で電子時計１００の内部を見た場合でも、確実に電子時計１００の内部が見えることを防止することができる。
【００６８】
本実施形態によれば、ダイヤルリングを、第１ダイヤルリング８２と第２ダイヤルリング８３との２体の部材から構成し、第１ダイヤルリング８２を外装ケース８０の表面側の開口Ｋ１側から取り付け、第２ダイヤルリング８３を外装ケース８０の裏面側の開口Ｋ２側から取り付けるようにしたので、カバーガラス８４をドーム形状にした場合であっても、側面から電子時計１００の内部の部品等が見えることを確実に防止しつつ、第１ダイヤルリング８２と第２ダイヤルリング８３の位置決めを確実に行うことができ、かつ、組み立てを容易にすることができる。
【００６９】
本実施形態では、第２ダイヤルリング８３の外側フランジ部８３ａの上側に、第１ダイヤルリング８２の内側フランジ部８２ａが位置するように構成したので、ドーム形状のカバーガラス８４を用いても、第１ダイヤルリング８２の内側フランジ部８２ａと、第１ダイヤルリング８２の内側フランジ部８２ａとの接触部における隙間から、電子時計１００の内部が見えることを確実に防止することができる。
【００７０】
第１ダイヤルリング８２の外側フランジ部８２ｂと、外装ケース８０の内側フランジ部８０ａとの接触部には、両面テープ８９を貼り付けたので、第１ダイヤルリング８２を確実に外装ケース８０に取り付けることができる。
【００７１】
また、第１ダイヤルリング８２、第２ダイヤルリング８３、地板３８、及び外装ケース８０により形成される空間にアンテナ体４０を収容したので、空間を効率的に使用して小型化を図ることができると共に、カバーガラス８４に近い位置にアンテナ体４０を配置してアンテナ体４０の感度を向上させることができる。
【００７２】
さらに、本実施形態では、第１ダイヤルリング８２の表面８２ｄの形状を、カバーガラス８４の端部における内周面に沿った形状とし、第１ダイヤルリング８２の表面８２ｄに文字情報８２ｅを表示したので、情報量を多くすることができる。文字情報として都市名等を採用し、字数が数字よりも多くなった場合でも、従来のベゼル上に表示する場合に比べて拡大された表示領域に表示するので、視認性を向上させることができる。
【００７３】
＜第２実施形態＞
次に、本発明の第２実施形態を図８乃至図１０を参照しつつ説明する。上述した第１実施形態においては、ダイヤルリングを第１ダイヤルリングと第２ダイヤルリングの２体の部材で構成する例について説明したが、本実施形態は、ダイヤルリングを一体に形成する例である。なお、第１実施形態と同じ構成については、その説明を省略する。
【００７４】
図８は本実施形態の電子時計１００の断面図、図９は本実施形態のダイヤルリングの斜視図、図１０は本実施形態のダイヤルリングの平面図である。本実施形態においては、ダイヤルリング８１は、図９に示すように、第１実施形態の第１ダイヤルリングに相当する部分と第２ダイヤルリングに相当する部分が予め連続的に一体に形成されている。ダイヤルリング８１には、外側フランジ部８１ｅが形成されている。
【００７５】
本実施形態においても、カバーガラス８４はドーム形状であり、外装ケース８０によって支持されるように構成されている。図７に一点鎖線で示すように、カバーガラス８４は、外装ケース８０によって支持される第１部分Ａ１と、文字板１１の上方に位置する第２部分Ａ２と、第１部分Ａ１と第２部分Ａ２の間の湾曲部を含む第３部分Ａ３から構成されている。
【００７６】
ダイヤルリング８１の第１表面８１ａは、ドーム形状のカバーガラス８４の湾曲部を含む第３部分Ａ３の内周面の形状に沿った形状となっており、第３部分Ａ３だけでなく、第１部分Ａ１にも対向している。また、ダイヤルリング８１の第２表面８１ｂは文字板１１の上方に位置する第２部分Ａ２に対向している。ダイヤルリング８１の第１表面８１ａには、文字情報８１ｃが描かれている。ダイヤルリング８１の第１表面８１ａに表示する文字情報８１ｃは、数字に限定されるものではなく、例えば、図１０に示すように、ダイヤルリング８１の第１表面８１ａに表示する情報として都市名の略字８１ｆを採用してもよい。また、文字でなくてもよく、例えば、装飾であってもよい。都市名等をダイヤルリング８１の第１表面８１ａに表示することにより、時間をダイヤルリング８１の第２表面８１ｂより内側にある第２表面８１ｂに表示することが可能となり、時間の視認性が向上する。ダイヤルリング８１の内側の空間（部品配置領域）Ｋ３は、アンテナ体４０を収容可能な大きさに形成されている。
【００７７】
本実施形態においては、ダイヤルリング８１に位置決め凸部８１ｄが形成されているが、位置決め凸部８１ｄに対応する凹部は、外装ケース８０だけでなく、地板３８にも形成されている。したがって、ダイヤルリング８１を図７及び図８に示すような形状で一体に形成した場合でも、地板３８に対して確実にダイヤルリング８１を位置決めすることができる。ダイヤルリング８１の外側フランジ部８２ｂと、外装ケース８０の内側フランジ部８０ａとの接触部には、両面テープ８９を貼り付けたので、第１ダイヤルリング８２を確実に外装ケース８０に取り付けることができる。
【００７８】
本実施形態によれば、カバーガラス８４をドーム形状にした場合であっても、カバーガラス８４の湾曲部を含む第３部分Ａ３の内周面に沿った形状の第１表面８１ａを有するダイヤルリング８１を一体に形成し、ダイヤルリング８１の第１表面８１ａをカバーガラス８４の第１部分Ａ１と第３部分Ａ３に対向させたので、側面から電子時計１００の内部の部品等が見えることを確実に防止しつつ、ダイヤルリング８１の位置決めを確実に行うことができ、かつ、組み立てを容易にすることができる。
【００７９】
また、ダイヤルリング８１及び地板３８により形成される空間にアンテナ体４０を収容したので、空間を効率的に使用して小型化を図ることができると共に、カバーガラス８４に近い位置にアンテナ体４０を配置してアンテナ体４０の感度を向上させることができる。
【００８０】
さらに、本実施形態では、側面側のダイヤルリング８１の表面８１ａの形状を、カバーガラス８４の端部における内周面に沿った形状とし、ダイヤルリング８１の表面８１ａに文字情報８１ｃを表示したので、情報量を多くすることができる。文字情報として都市名等を採用し、字数が数字よりも多くなった場合でも、従来のベゼル上に表示する場合に比べて拡大された表示領域に表示するので、視認性を向上させることができる。
【００８１】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００８２】
（変形例１）
上述した実施形態においては、第１ダイヤルリング８２、第２ダイヤルリング８３、及び一体型のダイヤルリング８１を樹脂で形成した例について説明した。しかしながら、本発明はこのような例に限定されるものではなく、例えば、第１ダイヤルリング８２、第２ダイヤルリング８３、及び一体型のダイヤルリング８１を金属等で形成してもよい。
【００８３】
（変形例２）
上述した実施形態においては、本発明をアンテナ内蔵式の電子時計に適用した例について説明した。しかしながら、本発明はこのような例に限定されるものではない。例えば、位置情報衛星からの電波ではなく他の長波等の電波を受信するアンテナを備えるものであってもよいし、アンテナを備えていない時計にも適用可能である。
【符号の説明】
【００８４】
１００……アンテナ内蔵式電子時計、１１……文字板（時刻表示部分）、１２……指針軸、１３（１３ａ，１３ｂ，１３ｃ）……指針、１６……竜頭、１６ａ……巻真、２６……ＧＰＳ受信部、２７……二次電池、２８……電池収納部、３０……駆動機構、３８……地板、４０……アンテナ体、７０……制御部、８０……外装ケース、８０ａ……内側フランジ部、８０ｂ……凹部、８１……ダイヤルリング、８１ａ……第１表面、８１ｂ……第２表面、８１ｃ……文字情報、８１ｄ……位置決め凸部、８２……第１ダイヤルリング、８２ａ……内側フランジ部、８２ｂ……外側フランジ部、８２ｃ……位置決め凸部、８２ｄ……表面、８２ｅ……文字情報、８３……第２ダイヤルリング、８３ａ……外側フランジ部、８３ｃ……位置決め凸部、８４……カバーガラス、８５……裏蓋、８７……ソーラーパネル、８９……両面テープ、Ａ１……第１部分、Ａ２……第２部分、Ａ３……第３部分。
【図１】
2015143665.tif 000003
【図２】
2015143665.tif 000004
【図３】
2015143665.tif 000005
【図４】
2015143665.tif 000006
【図５】
2015143665.tif 000007
【図６】
2015143665.tif 000008
【図７】
2015143665.tif 000009
【図８】
2015143665.tif 000010
【図９】
2015143665.tif 000011
【図１０】
2015143665.tif 000012